【手続補正書】
【提出日】平成31年1月9日(2019.1.9)
【手続補正１】
【補正対象書類名】明細書
【補正対象項目名】０２９１
【補正方法】変更
【補正の内容】
【０２９１】
いくつかの実施形態では、カニューレ本体を備える鼻カニューレであって、カニューレ本体から１つの鼻プロングまたは一対の鼻プロングが使用者の鼻孔と係合するように延在し、カニューレ本体から一対のサイドアームが外側に延在し、カニューレ本体にヘッドギアシステムが接続可能であり、カニューレ本体が、使用者の顔面に対して実質的に一致するが、使用時に、サイドアームのより外側の部分に加えられる力または張力により、一方または両方の鼻プロングが使用者の鼻棘領域に対してそれほど邪魔しないように仕向けられるかまたは促進されるように、十分な剛性を提供する。
【手続補正２】
【補正対象書類名】明細書
【補正対象項目名】０６７５
【補正方法】変更
【補正の内容】
【０６７５】
この場合もまた、図８３〜図８５を参照すると、鼻カニューレ等の患者インタフェースが示されている。鼻カニューレは、概して４０１０１の領域に示すカニューレ本体を備えることができ、そこから、１つの鼻プロングまたは一対の鼻プロングが、使用者の鼻腔（複数可）に係合するかまたは使用時にガス流を送達するようにそこから延在することができる。図示するように、一対のサイドアーム４０１００、４０１０２は、外側に延在し、ヘッドギアシステムはそこに接続可能である。図示するヘッドギアシステムは分岐可能ストラップのものであるが、鼻カニューレ等の患者インタフェースと使用することができるような関連するあらゆる形態のヘッドギアを利用することができることが理解されよう。４０１０１によって示す領域におけるカニューレ本体（または、少なくとも、患者の顔面に接触可能であり得る後方部分）は実質的に使用者に対して一致するが、カニューレ本体は、使用時、（ヘッドギアがサイドアームに接続する部分における等）より外側の部分に加えられる力または張力、サイドアーム４０１００、４０１０２が、一方あるいは両方の鼻プロングまたは少なくともカニューレ本体４０１０１あるいはプロングに関連する本体の部分が使用者の鼻棘領域に対してそれほど邪魔しないようにするように、十分剛性がある。
【手続補正３】
【補正対象書類名】明細書
【補正対象項目名】１１０２
【補正方法】変更
【補正の内容】
【１１０２】
４５８．カニューレ本体を備える鼻カニューレであって、カニューレ本体から１つの鼻プロングまたは一対の鼻プロングが使用者の鼻孔と係合するように延在し、カニューレ本体から一対のサイドアームが外側に延在し、カニューレ本体にヘッドギアシステムが接続可能であり、カニューレ本体が、使用者の顔面に対して実質的に一致するが、使用時に、サイドアームのより外側の部分に加えられる力または張力により、一方または両方の鼻プロングが使用者の鼻棘領域に対してそれほど邪魔しないように仕向けられるかまたは促進されるように、十分な剛性を提供する、鼻カニューレ。
【手続補正４】
【補正対象書類名】特許請求の範囲
【補正対象項目名】全文
【補正方法】変更
【補正の内容】
【特許請求の範囲】
【請求項１】
ガス送達機構と、
前記ガス送達機構に接続された本体と、
前記本体から延在する一対のサイドアームと、
前記一対のサイドアームに沿って延在して、前記ガス送達機構の領域で連結する、連続した材料のセクションと、を備え、
前記本体及びサイドアームは、前記連続した材料のセクションによって、前記サイドアームへの張力の印加が、前記ガス送達機構を、本来患者の鼻棘の邪魔になる位置から離れるように移動するように仕向けるように、接続されている、患者インタフェース。
【請求項２】
前記本体及び前記一対のサイドアームは第１材料から形成され、前記連続した材料のセクションは第２材料から形成される、請求項１に記載の患者インタフェース。
【請求項３】
前記第２材料は前記第１材料よりも相対的に剛性を有する、請求項２に記載の患者インタフェース。
【請求項４】
前記第１材料は前記第２材料よりも相対的に軟質である、請求項２に記載の患者インタフェース。
【請求項５】
前記本体は、第１材料から形成され、患者に対して実質的に一致する、請求項１〜４のいずれか一項に記載の患者インタフェース。
【請求項６】
前記第１材料は前記第２材料上にオーバモールドされている、請求項２〜５のいずれか一項に記載の患者インタフェース。
【請求項７】
前記連続した材料のセクションは、前記サイドアームから前記本体を通って延在する、請求項１〜６のいずれか一項に記載の患者インタフェース。
【請求項８】
前記連続した材料のセクションは、前記第１材料が取り付けられる枠または骨組みを形成する、請求項２〜７のいずれか一項に記載の患者インタフェース。
【請求項９】
前記連続した材料のセクションは、各サイドアームの蝶番部を形成し、前記蝶番部は前記サイドアームの長さに沿って位置する、請求項１〜８のいずれか一項に記載の患者インタフェース。
【請求項１０】
前記蝶番部は、前記本体に隣接している、請求項９に記載の患者インタフェース。
【請求項１１】
前記一対のサイドアームの各々に沿って延在する前記連続した材料のセクションは、前記本体から前記サイドアームの端部に向けて剛性が減少する、請求項２〜１０のいずれか一項に記載の患者インタフェース。
【請求項１２】
前記連続した材料のセクションは、中心部分において前記患者の顔面から離れて架け渡されまたは延在するよう構成されまたは形成される、請求項１〜１１のいずれか一項に記載の患者インタフェース。
【請求項１３】
各々のサイドアームの端部がヘッドギアに接続されている、請求項１〜１２のいずれか一項に記載の患者インタフェース。
【請求項１４】
前記ヘッドギアは分岐可能ストラップを備える、請求項１３に記載の患者インタフェース。
【請求項１５】
前記本体は、マニホールドを解除可能に受け入れるように構成されている、請求項１〜１４のいずれか一項に記載の患者インタフェース。
【請求項１６】
前記マニホールドは、ガス供給管に接続されている、請求項１５に記載の患者インタフェース。
【請求項１７】
前記ガス供給管を前記一対のサイドアームの一つのサイドアームに固定するクリップをさらに備える、請求項１６に記載の患者インタフェース。
【請求項１８】
前記マニホールドは、前記第１材料に比較して相対的剛性材料で形成されている、請求項１５〜１７のいずれか一項に記載の患者インタフェース。
【請求項１９】
前記マニホールドは、実質的に「Ｃ」字型または「Ｕ」字型マニホールド接続部を備える、請求項１５〜１８のいずれか一項に記載の患者インタフェース。
【請求項２０】
前記サイドアームの各々は、前記サイドアームに力または張力を加える前に、前記サイドアームが前記患者の顔面から離れるように外側に湾曲するような予備形状または形状を画定する、請求項１〜１９のいずれか一項に記載の患者インタフェース。
【請求項２１】
前記本体又はガス送達機構の、患者の鼻中隔に隣接する領域は、ピローまたはピロー様セクションを形成する、請求項１〜２０のいずれか一項に記載の患者インタフェース。
【請求項２２】
前記ピローまたはピロー様セクションは相対的中空領域である、請求項２１に記載の患者インタフェース。
【請求項２３】
前記ピローまたはピロー様セクションは、使用時に前記患者の鼻中隔に実質的に隣接する領域において、相対的に薄い壁または伸縮性のあるセクションである、請求項２１または２２記載の患者インタフェース。
【請求項２４】
サイドアームの一方または両方とヘッドギアとの間の締結機構をさらに備える、請求項１〜２３のいずれか一項に記載の患者インタフェース。
【請求項２５】
前記ガス送達機構は、１または２以上の鼻プロングを備える、請求項１〜２４のいずれか一項に記載の患者インタフェース。
【請求項２６】
前記連続した材料のセクションは、各サイドアームに沿って延在し、一方または両方の前記鼻プロングの領域で連結するかまたは機械的に結合されている請求項２５記載の患者インタフェース。
【請求項２７】
前記連続した材料のセクションは、加えられる力または張力をサイドアームから一方または両方の前記鼻プロングの領域に移動させることができる材料である、請求項２５または２６に記載の患者インタフェース。
【請求項２８】
前記サイドアームは、使用時に、ヘッドギアによって鼻カニューレに加えられている力または張力の、患者の頬への、そして前記患者の鼻棘領域から離れるような、または前記患者の鼻棘領域に加えられている力または張力から離れるような、移動または配置あるいは再配置または分散あるいは再分散を促進するように構成されている、請求項１〜２７のいずれか一項に記載の患者インタフェース。
【請求項２９】
使用時に確立される蝶番または撓み点または屈曲点は、患者の左あるいは右または両方のうちの１つまたは複数またはその周囲の領域、すなわち、下外顎、上外顎、頬骨弓、顎凹部または頬骨弓の下方である、請求項１〜２８のいずれか一項に記載の患者インタフェース。